【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームが開始可能となるとともに、各々が識別可能な複数種類の図柄を変動表示可能な可変表示装置に表示結果が導出表示されることにより１ゲームが終了し、該可変表示装置に導出表示された表示結果に応じて入賞が発生可能とされたスロットマシンであって、
遊技を進行させる際に操作される操作手段と、
前記操作手段の操作を受け付ける操作受付手段と、
所定の有効期間において前記操作手段の操作が受け付けられたことに応じて遊技を進行させる制御を行うとともに、少なくとも該遊技の進行に基づく制御情報を送信する遊技制御手段と、
受信した前記制御情報に基づいて演出の制御を行う演出制御手段と、
を備え、
前記演出制御手段は、前記受信した制御情報に応じて演出を実行する演出実行制御手段を含み、
前記遊技制御手段は、前記有効期間中であるか否かに関わらず、前記操作手段の操作が受け付けられる毎に、該操作手段の操作がなされた旨を示す操作制御情報を前記制御情報として前記演出制御手段に対して送信する操作制御情報送信手段を含む
ことを特徴とするスロットマシン。
【請求項２】
前記操作制御情報送信手段は、前記操作手段の操作が前記有効期間中に受け付けられたか否かを特定可能な前記操作制御情報を前記演出制御手段に対して送信する
ことを特徴する請求項１に記載のスロットマシン。
【請求項３】
前記操作受付手段は、前記操作手段の操作状態の変化を検知する操作状態検知手段を含み、
前記操作制御情報送信手段は、前記操作状態検知手段が前記操作状態の変化を検知したときに、該変化後の操作状態を示す操作状態変化情報を前記操作制御情報として送信し、
前記演出制御手段は、前記操作状態変化情報が示す前記操作手段の操作状態に基づいて該操作手段が操作されているか否かを判定する操作判定手段を含み、
前記演出実行制御手段は、前記操作判定手段の判定結果に基づいて演出を実行する
ことを特徴とする請求項１または２に記載のスロットマシン。
【請求項４】
前記演出実行制御手段は、前記有効期間外に前記操作手段の操作に応じて内容の変化する操作演出を実行する操作演出実行制御手段を含み、
前記演出制御手段は、前記操作演出において前記操作手段の操作がなされたときに、該操作演出において前記操作手段の操作がなされなかったときよりも前記遊技を進行させるに際して有利となる有利演出を実行する有利演出実行手段を含む
ことを特徴とする請求項１〜３のいずれかに記載のスロットマシン。
【請求項５】
前記遊技制御手段は、
前記制御情報を格納する制御情報格納手段と、
前記制御情報格納手段に格納されている制御情報を前記演出制御手段に対して送信する制御情報送信手段と、
を含み、
前記制御情報送信手段は、前記制御情報格納手段に格納されている制御情報を予め定められた優先順にて前記演出制御手段に対して送信し、
前記演出制御手段は、受信した前記制御情報を格納することが可能な複数の格納領域を有する演出制御情報格納手段を含み、
前記演出実行制御手段は、前記演出制御情報格納手段に格納された制御情報を格納された順番に読み出し、該読み出した制御情報に応じて演出を実行するための制御を行い、
前記演出制御情報格納手段は、前記制御情報格納手段が有する格納領域よりも多くの格納領域を有する
ことを特徴とする請求項１〜４のいずれかに記載のスロットマシン。
【手続補正２】
【補正対象書類名】明細書
【補正対象項目名】００１３
【補正方法】変更
【補正の内容】
【００１３】
本発明のスロットマシンは、請求項１〜５のいずれかに記載のスロットマシンであって、
前記遊技制御手段（メイン制御部４１）を搭載した遊技制御基板（遊技制御基板４０）と、
ゲームの進行に関わる信号を出力する第１の電子部品と遊技の進行に関わる信号が入力される第２の電子部品とのうち少なくとも一方を含む遊技用電子部品（投入メダルセンサ３１）と、
コネクタ（基板側コネクタ６２０ａとケーブル側コネクタ６１０ａ／基板側コネクタ６２１ａとケーブル側コネクタ６１１ａ／基板側コネクタ６２２ｇとケーブル側コネクタ６１２ｇ）同士での接続により着脱可能に前記遊技用電子部品（投入メダルセンサ３１）と前記遊技制御基板（遊技制御基板４０）との間に設けられ、前記遊技用電子部品（投入メダルセンサ３１）と前記遊技制御基板（遊技制御基板４０）とを電気的に接続するための配線（ケーブル６００ａ、６０１ｇ）と、
前記配線とコネクタ（基板側コネクタ６２１ａとケーブル側コネクタ６１１ａ／基板側コネクタ６２２ｇとケーブル側コネクタ６１２ｇ）同士で接続され、前記遊技用電子部品（投入メダルセンサ３１）と前記遊技制御基板（遊技制御基板４０）との間での信号の入出力を中継する中継基板（操作部中継基板１１０）と、
前記遊技用電子部品（投入メダルセンサ３１）と前記遊技制御基板（遊技制御基板４０）との間における前記配線上のコネクタ同士での接続を、該コネクタ同士での接続に関わる解除規制部位を破壊しない限り、解除不能とする接続解除規制状態を形成する電子部品接続解除規制手段（コネクタ規制部材）と、
を備え、
前記電子部品接続解除規制手段は、
前記遊技制御基板（遊技制御基板４０）と前記中継基板（操作部中継基板１１０）との間における前記配線（ケーブル６００ａ）のコネクタ（基板側コネクタ６２０ａとケーブル側コネクタ６１０ａ／基板側コネクタ６２１ａとケーブル側コネクタ６１１ａ）同士での接続を解除不能とする第１の電子部品接続解除規制手段（コネクタ規制部材）と、
前記中継基板（操作部中継基板１１０）と前記遊技用電子部品（投入メダルセンサ３１）との間における前記配線（ケーブル６０１ｇ）のコネクタ（基板側コネクタ６２２ｇとケーブル側コネクタ６１２ｇ）同士での接続を解除不能とする第２の電子部品接続解除規制手段（コネクタ規制部材）と、
を含む
ことを特徴としている。
この特徴によれば、遊技制御基板と中継基板との間における配線のコネクタだけでなく、中継基板と遊技用電子部品との間における配線のコネクタ同士での接続の解除が規制されることで、遊技用電子部品と遊技制御基板との間に設けられる配線の全てのコネクタ同士での接続の解除が規制される。これによりいずれかのコネクタを不正な打ち込み器具等のコネクタに差し替えて接続し、遊技制御基板に遊技の進行に関わる不正な信号を入出力させるといった不正行為を行うことが困難となるため、不正な打ち込み器具を使用して特典を得るための特典入手情報を容易に取得できる状態に設定したスロットマシンや、特別入賞が当選した状態に設定したスロットマシンを、例えば遊技店の営業開始時等において遊技客に提供するといった不正営業の実施等を効果的に防止できる。
また、電子部品接続解除規制手段により接続解除規制状態が形成されることで、コネクタ同士での接続を解除するためには解除規制部位を破壊しなければならず、これにより接続を解除した後に再度接続解除規制状態を形成することが極めて困難となり、かつ、手間がかかるため、上記不正行為をより効果的に抑制することができる。
尚、前記中継基板は、一の遊技用電子部品と遊技制御基板との間に１つ、または複数接続されていても良く、複数の中継基板が接続される場合において、前記電子部品接続解除規制手段は、一の中継基板と他の中継基板との間における前記配線のコネクタ同士での接続を解除不能とする第３の電子部品接続解除規制手段を備えることが好ましく、このようにすることで、遊技用電子部品と遊技制御基板との間に設けられる配線の全てのコネクタ同士での接続の解除が規制される。